(57)【要約】      （修正有）【課題】底面に４個のキャスターを有する平板状台車を重ねて収納することができ、平板状台車を安全に収納し運搬できる平板状台車運搬用台車を提供する。【解決手段】底側に４個のキャスターを有する底板と底板の後端に設けられた背枠と底板の両側端に設けられた側枠とからなる。さらに、積載された平板状台車を底板と背枠とに縛りつける紐又はベルトからなる緊縛帯を設ける。【選択図】図３
0003167771.tif 000002
【実用新案登録請求の範囲】
【請求項１】
底面に４個のキャスターを有する平板状台車を重ねて積載して収納することができ、底側に４個のキャスターを有する底板と、底板に垂直に、底板の後端に設けられた背枠と、、底板の両側端に設けられた側枠とからなり、更に積載した平板状台車を係止する付属具を設けたことを特徴とする平板状台車運搬用台車
【請求項２】
請求項１記載の平板状台車運搬用台車において、最下段に平板状台車を平板部を下にして載せた後、二つの平板状台車の底部を向かい合わせにして相互にキャスターが重ならないように噛み合わせ、次いで二つの平板状台車の平板部を向かい合わせ重ねることを繰り返して、平板状台車を積載した後、付属具で固定することを特徴とする平板状台車運搬用台車の使用方法
【考案の詳細な説明】
【技術分野】
【０００１】
本考案は、引越しの際等に使用される平板状台車を収納し運搬するための台車すなわち平板状台車運搬用台車に関するものである。
【背景技術】
【０００２】
住居や事務所等の引越しの際、屋内の各部屋から家具、戸棚、箪笥、電化製品、キャビネット等を平板状台車に載せて屋外の搬送トラックまで運ぶことが多いが、この平板状台車の引越現場への運搬や、荷物のトラック積載後の平板状台車の処理は、その状況に合わせて適宜に行われており、多くの平板状台車の乱雑さは引越作業効率を下げていた。
【特許文献１】特許公開平１１−２７４９４０
【考案の開示】
【考案が解決しようとする課題】
【０００３】
本考案が解決しようとする課題は、従来は、引越の依頼に従って、倉庫に乱雑に置かれた平板状台車を掻き集めてトラックで現場に運び、荷積完了後はトラックの積荷の隙間等に平板状台車を詰め込み、引越完了後はトラックの広く空いた空間に平板状台車を無造作に積み込み帰ってきており、平板状台車の取り扱いに無駄が多かったので、このような平板状台車の取り扱いの効率化を図ることにある。
【課題を解決するための手段】
【０００４】
本考案者は、前述の課題を解決するため、底面に４個のキャスターを有する平板状台車を重ねて積載して収納することができ、底側に４個のキャスターを有する底板と、底板に垂直に、底板の後端に設けられた背枠と、底板の両側端に設けられた側枠とからなり、更に積載された平板状台車を係止する付属具を設けたことを特徴とする平板状台車運搬用台車（以下「第１考案」という）を提供し、第１考案の平板状台車運搬用台車において、最下段に平板状台車を平板部を下にして載せた後、二つの平板状台車の底部を向かい合わせにして相互にキャスターが重ならないように噛み合わせ、次いで二つの平板状台車の平板部を向かい合わせに重ねることを繰り返して、平板状台車を積載した後、係止具で固定することを特徴とする請求項１記載の平板状台車運搬用台車の使用方法（以下「第２考案」という）を提案する。
【考案の効果】
【０００５】
第１考案に係わる平板状台車運搬用台車は、底板と底板の後端に設けられた背枠と底板の両側端に設けられた側枠からなるので、これらの枠の中に平板状台車を重ねて収納し、別途に設けられた付属具によって固定することができ、また、底板の下部にはキャスターが設けられているので、人手で容易に動かすことができる。また、平板状台車を平板状台車運搬用台車に収納したまま、倉庫に保管すれば、保管容積も少なくて済み、倉庫から緊急に持ち出すことができる。
【０００６】
第２考案に係わる平板状台車運搬用台車の使用方法は、最下段に平板状台車の平板部を下にして載せているので、平板状台車収納搬送台車の底板と最下段の平板状台車の平板部との間では滑り難くなっており、その上には二つの平板状台車の底部を向かい合わせにして相互にキャスターが重ならないように重ねているので、キャスター同士が絡み合って滑り難くなっている。また、その上には二つの平板状台車の平板部を向かい合わせに重ねているので、滑り難くなっている。このように二つの平板状台車を一対に重ねることを繰り返しておるので、平板状台車を安定して積載でき、更に係止具で固定しているので、平板状台車を安全に収納し運搬することができる。
【考案を実施するための最良の形態】
【０００７】
本考案を実施するための最良の形態を実施例１及び図１ないし図３に示す。
【実施例１】
【０００８】
図１は、本考案の対象となる平板状台車であり、図２は、第１考案に係わる平板状台車運搬用台車の一つの例であり、図３は、第２考案に係わる平板状台車運搬用台車の使用方法の一つの形態である。これらの図において、１は平板状台車、２は平板部、３はキャスター、４は平板状台車運搬用台車、５は底板、６は背枠、７は側枠、８は付属具の平紐、９はその平紐の結び目であり、図３において、この平紐で積載した平板状台車を縛って平平板状台車運搬用台車に固定している。また、図３では、キャスターは底板の下に隠れて見えない。
【０００９】
本考案に係わる平板状台車運搬用台車において、背枠及び側枠は、実施例１の背枠６及び側枠７の形状のものに限定しないが、積載収納された平板状台車が見えるように、板状のものより枠状のものが好ましい。また、付属具は、実施例１では収納された台車の数に適応できるように平紐８を使用しているが、ベルト状のもので孔の位置等で長さが調整できるものが好ましく、更に多少弾性があるものであればより好ましい。また平板状台車の出入口を開閉する扉状のものは平板状台車との間に間隙を生じ易いので好ましくない。
【産業上の利用可能性】
【００１０】
本考案に係わる平板状台車運搬用台車とその使用方法は。前述のような構成と作用と効果を有するので、引越作業を円滑に効率的に行うことができるようになる。
【図面の簡単な説明】
【００１１】
【図１】平板状台車の説明図である
【図２】実施例１の平板状台車運搬用台車の説明図である。
【図３】実施例１の平板状台車運搬用台車の平板状台車積載状況の説明図である。
【符号の説明】
【００１２】
１  平板状台車
２  平板部
３  キャスター
４  平板状台車運搬用台車
５  底板
６  背枠
７  側枠
８  付属具の平紐
９  平紐の結び目
【図１】
0003167771.tif 000003
【図２】
0003167771.tif 000004
【図３】
0003167771.tif 000005
【手続補正書】
【提出日】平成23年3月5日(2011.3.5)
【手続補正１】
【補正対象書類名】明細書
【補正対象項目名】０００４
【補正方法】変更
【補正の内容】
【０００４】
本考案者は、前述の課題を解決するため、底板に４個のキャスターを有する平板状台車を重ねて積載して収納することができ、底側に４個のキャスターを有する底板と、底板に垂直に、底板の後端に設けられた背枠と、底板の両側端に設けられた側枠とからなり、更に積載された平板状台車を底板と背枠とに縛りつける紐又はベルトからなる緊縛帯を設けたことを特徴とする平板状台車運搬用台車（以下「第１考案」という）、及び、第１考案の平板状台車運搬用台車の底板に最初に平板状台車の平板部を下にして載せた後、二つの平板状台車の底部を向い合わせにして相互にキャスターが重ねらないように噛み合わせ、次いで二つの平板状台車の平板部を向い合わせに重ねることを繰り返して、平板状台車を対にして積載した後、緊縛帯で積載台車を底板と背枠とに縛りつけたことを特徴とする平板状台車積載運搬用台車（以下「第２考案」という）を提供する。
【手続補正２】
【補正対象書類名】明細書
【補正対象項目名】０００５
【補正方法】変更
【補正の内容】
【０００５】
第１考案に係わる平板状台車運搬用台車は、底板と底板の後端に設けられた背板と底板の両側端に設けられた側枠からなるので、これらの枠の中に平板状台車を重ねて収納し、別途に設けられた緊縛帯によって固定することができ、また、底板の下部にはキャスターが設けられているので、人手で容易に動かすことができる。また、平板状台車を平板状台車運搬用台車に収納したまま、倉庫に保管すれば、保管面積も少なくて済み、倉庫から緊急に持ち出すことができる。
【手続補正３】
【補正対象書類名】明細書
【補正対象項目名】０００６
【補正方法】変更
【補正の内容】
【０００６】
第２考案に係わる平板状台車積載運搬用台車は、最下段に平板状台車の平板部を下にして載せているので、平板状台車運搬用台車の底板と最下段の平板状台車の平板部との間では滑り難くなっており、その上には二つの平板状台車の底部を向い合わせにして相互にキャスターが重ならないように重ねているので、キャスター同士が絡み合って滑り難くなっている。また、その上には二つの平板状台車の平板部を向い合わせに重ねているので、滑り難くなっている。このように二つの平板状台車を一対に重ねることを繰り返しているので、平板状台車を安定して積載でき、更に緊縛帯で積載した平板状台車を底板と背枠とに縛りつけているので、平板状台車を安全に積載して安全に運搬することができる。
【手続補正４】
【補正対象書類名】明細書
【補正対象項目名】０００８
【補正方法】変更
【補正の内容】
【０００８】
図１は、本考案の対象となる平板状台車であり、図２は、第１考案に係わる平板状台車運搬用台車の一つの例であり、図３は、第２考案に係わる平板状台車積載運搬用台車の一つの例である。これらの図において、１は平板状台車、２は平板部、３はキャスター、４は平板状台車運搬用台車、５は底板、６は背枠、７は側枠、８は緊縛帯の平紐、９はその平紐の結び目であり、図３では、この平紐で積載した平板状台車を縛って平板状台車運搬用台車に固定している。また、図３では、キャスターは底板の下に隠れて見えない。
【手続補正５】
【補正対象書類名】明細書
【補正対象項目名】０００９
【補正方法】変更
【補正の内容】
【０００９】
本考案に係わる平板状台車運搬用台車において、背枠及び側枠は、実施例１の背枠６及び側枠７の形状のものに限定しないが、積載収納された平板状台車が見えるように、板状のものより枠状のものが好ましい。また、緊縛帯は、実施例１では収納された台車の数に適応できるように平紐８を使用しているが、ベルト状のもので孔の位置等で長さが調整できるものが好ましく、更に多少弾性があるものであればより好ましい。また平板状台車の出入口を開閉する扉状のものは平板状台車との間に間隙を生じ易いので好ましくない。
【手続補正６】
【補正対象書類名】明細書
【補正対象項目名】００１２
【補正方法】変更
【補正の内容】
【００１２】
１  平板状台車
２  平板部
３  キャスター
４  平板状台車運搬用台車
５  底板
６  背枠
７  側枠
８  緊縛帯の平紐
９  平紐の結び目
【手続補正７】
【補正対象書類名】実用新案登録請求の範囲
【補正対象項目名】全文
【補正方法】変更
【補正の内容】
【実用新案登録請求の範囲】
【請求項１】
底板に４個のキャスターを有する平板状台車を重ねて積載して収納することができ、底側に４個のキャスターを有する底板と、底板に垂直に、底板の後端に設けられた背枠と、底板の両側端に設けられた側枠とからなり、更に積載された平板状台車を底板と背枠とに縛りつける紐又はベルトからなる緊縛帯を設けたことを特徴とする平板状台車運搬用台車
【請求項２】
請求項１の平板状台車運搬用台車の底板に最初に平板状台車の平板部を下にして載せた後、二つの平板状台車の底部を向い合わせにして相互にキャスターが重ねらないように噛み合わせ、次いで二つの平板状台車の平板部を向い合わせに重ねることを繰り返して、平板状台車を対にして積載した後、緊縛帯で積載台車を底板と背枠とに縛りつけたことを特徴とする平板状台車積載運搬用台車